【事件の表示】
　上記当事者間の登録第２７０７０３８号商標の登録取消審判事件について、次のとおり審決する。
【結　論】
　登録第２７０７０３８号商標の指定商品中、第３０類「全指定商品」についての商標登録を取り消す。
　審判費用は、被請求人の負担とする。
【理　由】
第１　本件商標　
　本件登録第２７０７０３８号商標（以下「本件商標」という。）は、「牛とろ」の文字を表してなり、昭和６３年８月１日に登録出願、第３２類に属する商標登録原簿に記載のとおりの商品を指定商品として、平成７年５月３１日に設定登録がされ、同１７年１０月１２日に指定商品を第２９類及び第３０類に属する商標登録原簿に記載のとおりの商品とする指定商品の書換登録がされた。その後、商標登録の取消し審判により、指定商品中、第２９類「牛肉製品」について取り消すべき旨の審決がされ、平成２２年７月２９日にその確定審決の登録がされたものである。現在、本件商標は、第２９類「ビーフカレーのもと，ビーフシチューのもと，牛肉入りふりかけ」及び第３０類「牛肉入りべんとう，牛肉入りサンドイッチ」を指定商品として、有効に存続しているものである。
　なお、本件審判の請求の登録日は、令和２年６月５日であり、本件審判の請求の登録前３年以内の平成２９年（２０１７年）６月５日から令和２年（２０２０年）６月４日までの期間を、以下「要証期間」という。
第２　請求人の主張
　請求人は、結論同旨の審決を求め、その理由を要旨以下のように述べ、証拠方法として甲第１号証ないし甲第３号証を提出した。
　１　請求の理由
　本件商標は、その指定商品中、第３０類「全指定商品」（以下「請求に係る指定商品」という。）について、継続して３年以上日本国内において、商標権者、専用使用権者又は通常使用権者のいずれも使用をした事実が存しないものであるから、その登録は商標法第５０条第１項の規定により取消されるべきものである。
　２　答弁に対する弁駁
　（１）提示されている証拠は、いずれも請求に係る指定商品中の「牛肉入りべんとう」についての本件商標の使用を示すものではない。
　被請求人が提示しているのは、いずれも「はま寿司」店舗内における表示である（乙８〜乙１０）。自ら「レーンメニューにおいての」使用と示すように、「飲食物の提供」における使用ではあっても「牛肉入りべんとう」についての使用を示すものではない。
　また、被請求人自ら述べるように、「各店舗において使用されたレーンメニューのプリントアウト画像」（乙４）、「店舗内で使用された広告用のシール」（乙５）及び「店舗内で使用された差込メニューの画像」（乙６）は、いずれも、その形状や「差込メニュー」（注文タッチパネルで表示されるものと推察される）に鑑みれば、飲食を行うテーブル等で表示されるものである。これらもまた、「飲食物の提供」における使用ではあっても「牛肉入りべんとう」についての使用を示すものではない。
　（２）テイクアウト等のメニューの中に「牛とろ」が含まれている事実はない。
　被請求人が、「はま寿司」において「お持ち帰り（テイクアウト）」や、「ドライブスルー」により商品を販売しているとする証拠（乙１１、乙１２）には、本件商標の使用が示されていない。
　（３）寿司ネタの名称として用いることは、指定商品「牛肉入りべんとう」についての使用には該当しない。
　仮に、上記（２）に関して、テイクアウトされる寿司の中に「炙り牛とろ握り」又は「牛とろ炙り」が含まれているケースがあったとしても、それは「中とろ」や「赤貝」、「たまご」といった握り寿司のネタ、つまり商品の内容を示す表示として用いているに過ぎず、「牛肉入りべんとう」についての使用ではない。なお、そもそも、寿司のメニュー名として使用している、として被請求人が各証拠を提示し主張しているのは「炙り牛とろ握り」又は「牛とろ炙り」であって「牛とろ」ではない。
第３　被請求人の答弁
　被請求人は、本件審判請求は成り立たない、審判費用は請求人の負担とする、との審決を求め、その理由を要旨以下のように述べ、証拠方法として乙第１号証ないし乙第１２号証を提出した。
　１　本件商標権者は、牛丼チェーンである「すき家」を始め、「ココス」、「なか卯」、「はま寿司」、「華屋与兵衛」、「ビッグボーイ」等の２０もの外食チェーンを傘下に有する外食産業企業である（乙１）。
　そして、本件商標権者は、１００％子会社であって通常使用権者である株式会社はま寿司を通じて、日本国内において、本件審判の請求前３年以内に本件商標を使用している。
　２　株式会社はま寿司は、「はま寿司」の店名で全国において寿司店をチェーン展開する企業であり、自己の運営する全国約５００の店舗において、２０１８年（平成３０年）から、４月〜５月と１１月の年に２回のフェア期間内に、店舗内のメニュー等において、「炙り牛とろ握り」の商標として本件商標を使用している。
　（１）株式会社はま寿司のウエブ情報「はまナビ」のプリントアウト（乙２、乙３）では、２０１８年（平成３０年）４月２６日からのフェア及び２０１９年（平成３１年）５月９日からのフェアにおいて、それぞれ「炙り牛とろ握り」がフェア対象商品として各店舗において提供されていたことが示されている。
　（２）２０１９年（平成３１年）１１月２８日ないし１２月１１日のフェア期間中に各店舗において使用されたレーンメニューのプリントアウト画像（乙４）には、右端の中央部分に本件商標が表示されている。当該フェア期間内において、店舗内で使用された広告用のシール（乙５）には、右端部分に本件商標が表示されており、同じく当該フェア中に店舗内で使用された差込メニューの画像（乙６）には、中央部分に本件商標が表示されている。当該フェア期間内において、全国で配布された広告チラシ及びポスターの画像（乙７）には、本件商標の対象である「牛とろ灸り」がフェア対象商品として提供されていたことが示されている。
　（３）「はま寿司」を訪れた顧客が掲載したＹｏｕＴｕｂｅ画像とＴｗｉｔｔｅｒ画像（乙８〜乙１０）は、２０１９年（平成３１年）１１月２９日、同年１２月１日及び同月７日に「はま寿司」店内のメニュー及びレーンメニューにおいて、本件商標が表示されていたことを示すものである。
　（４）全国の「はま寿司」の各店舗においては、店内で提供される寿司等のメニューは、自由に選んでテイクアウトすることが可能であり、また、お持ち帰りセット（寿司弁当）についても販売している（乙１１）。また、いくつかの店舗においては、ドライブスルーにより商品を販売している（乙１２）。本件商標の対象である牛とろ炙り握りについても、上記フェア期間内において、寿司セットとしてテイクアウトで販売されており、当該商品は、請求に係る指定商品である「牛肉入りべんとう」に含まれるものである。
　（５）してみれば、本件商標が表示されている、レーンメニューのプリントアウト画像（乙４）、店舗内で使用された広告用のシール（乙５）及び差込メニューの画像（乙６）は、「牛肉入りべんとう」の広告又は価格表に商標を付して展示する行為を証明するものであり（商標法第２条第３項第８号）、本件商標の使用の事実を立証するものである。
　３　被請求人の提出に係る上記乙各号証を総合的に勘案すれば、本件商標は、請求に係る指定商品について、要証期間に日本国内において、通常使用権者により使用されていたものである。
第４　審尋　　
　審判長は、令和２年１１月１７日付け審尋において、被請求人に対し、被請求人が提出した証拠によっては、本件要証期間に、通常使用権者が、本件審判請求に係る指定商品について本件商標を使用していることを被請求人が証明しているものとはいえない旨の合議体の暫定的見解及び請求人が提出した令和２年９月２９日付け審判事件弁駁書に対する回答を求め、相当の期間を指定した。
第５　被請求人からは、上記第４の審尋に対し何らの応答もなかった。
第６　当審の判断
　１　被請求人の提出に係る証拠及び同人の主張によれば、以下のとおりである。
　（１）乙第１号証は、本件商標権者のウェブページの出力物であり、「会社概要」の項に、「基本情報」として「主な事業内容　フードサービスチェーンの経営」等の記載、「関連会社」（２０２０年３月３１日現在）として「株式会社　はま寿司」の記載がある。また、「ブランド一覧」の項に、「はま寿司」の記載の下「・・・回転寿司チェーン」の記載がある。
　（２）乙第４号証は、「はま寿司」店舗内のフェア用レーンメニューとするものの写しであり、右端に縦書きの「牛とろ」の文字、寿司の写真、横書きの「牛とろ炙り」の文字及び価格の表示がある。
　（３）乙第５号証は、「はま寿司」店舗内の広告用シールとするものの写しであり、右端に横書きの「牛とろ」の文字、寿司の写真、横書きの「牛とろ炙り」の文字及び価格の表示がある。
　（４）乙第６号証は、「はま寿司」店舗内の差し込みメニューとするものの写しであり、中央付近に縦書きの「牛とろ」の文字、寿司の写真、横書きの「牛とろ炙り」の文字及び価格の表示がある。
　（５）乙第７号証の一葉目は、「はま寿司」のチラシの写しであり、チラシ中央付近には、寿司の写真とともに「牛とろ炙り」の表示がある。また、チラシ下部には「寿司一皿　無料」とする切り取り式の２種類のクーポンが掲載されており、当該クーポンには、それぞれ「有効期限　２０１９　１１／２８（木）〜１２／４（水）」「有効期限　２０１９　１２／５（木）〜１２／１１（水）」の記載がある。また、乙第７号証の二葉目は、「はま寿司」のポスターとするものの写しであり、中央付近には、寿司の写真とともに「牛とろ炙り」の表示がある。
　しかしながら、乙第７号証には「牛とろ」の表示はない。
　（６）乙第８号証は、「ＹｏｕＴｕｂｅ」における動画のスクリーンショット（複数）に、被請求人が説明を記載した書証であり、乙第９号証及び乙第１０号証は、「Ｔｗｉｔｔｅｒ」におけるツイートのスクリーンショットに、被請求人が説明を記載した書証であるところ、当該スクリーンショットには、それぞれ「２０１９／１１／２９」、「２０１９年１２月１日」及び「２０１９年１２月７日」の日付けとともに、「はま寿司」店舗内のメニューと思しき画像が掲載されている。また、当該画像中には、乙第４号証ないし乙第６号証と同じ態様の「牛とろ」の文字、寿司の写真、横書きの「牛とろ炙り」の文字及び価格の表示がある。
　（７）乙第１１号証は、「はま寿司」のウェブページ（抜粋）のスクリーンショットに、被請求人が説明を記載した書証であり、一葉目には、「はま寿司ではお持ち帰りメニューを販売しています。」「お持ち帰りできます！」の記載及び「２０２０．０４．２１　限定お持ち帰りセットも販売！・・・」等の記載があり、二葉目には、「はま寿司のお持ち帰り」を表題とするメニュー（当該メニューには、被請求人により「２０１９年５月２３日よりお持ち帰りメニューを更新」「■関東地方のお持ち帰りメニュー」の説明が付されている。）が掲載されているものの、「牛とろ」の表示はない。
　（８）乙第１２号証は２０２０年４月１８日付けの「＠ｎｉｆｔｙニュース」のウェブページの出力物であり、「『人との接触』削減にも　はま寿司『ドライブスルー』の安心感がハンパじゃない」の見出しがある。
　（９）その他、乙第２号証及び乙第３号証は、「はま寿司」のウェブページのスクリーンショットと思しきものであり、「２０１８．０４．２０」（乙２）又は「２０１９．０５．０７」（乙３）の日付けとともに、「はま寿司」で開催されるフェアにおいて「炙り牛とろ握り」が提供される旨の記載があるものの「牛とろ」の表示はない。
　２　判断
　被請求人は、「牛とろ」の文字が表示されている、「はま寿司」店舗内で使用されたレーンメニューのプリントアウト画像（乙４）、広告用のシール（乙５）及び差込メニューの画像（乙６）（以下、これらをまとめて「本件メニュー表」という。）の使用をもって、本件商標を請求に係る指定商品中の「牛肉入りべんとう」に使用している旨主張するので、これについて検討する。
　（１）使用者及び使用商標について
　株式会社はま寿司は、フードサービスチェーンの経営等を行う本件商標権者の関連会社（子会社）であるから、本件商標権者から本件商標について黙示の使用許諾を受けているものと推認することができ、本件商標の通常使用権者と認められる。
　また、本件商標は、上記第１のとおり、「牛とろ」の文字を表してなるものであり、本件メニュー表に表示されている「牛とろ」の文字（以下「本件使用商標」という。）は、縦書きと横書きの相違があるものもあるが、本件商標を構成する文字と同一の文字からなるものである。
　そうすると、本件商標と本件使用商標とは、社会通念上同一と認められる商標ということができる。
　（２）本件商標の使用が請求に係る指定商品中、「牛肉入りべんとう」についての使用に該当するか否かについて
　通常使用権者は「回転寿司チェーン」を展開しており、「はま寿司」店舗内にて「寿司を主とする飲食物の提供」を行っていることが認められる。
　また、通常使用権者は、寿司をお持ち帰り用（ドライブスルーを含む）の商品として販売しており、お持ち帰り専用のメニューも提供している。
　しかしながら、本件メニュー表は、被請求人の主張並びに「ＹｏｕＴｕｂｅ」及び「Ｔｗｉｔｔｅｒ」の投稿に表示されている画像が、本件メニュー表の一部と同じものであると認められることから、「はま寿司」店舗内のみでの掲示と認められる。また、お持ち帰り専用のメニュー表が別途提供されていることもみると、本件メニュー表は、寿司等の飲食物の提供を行うに当たって顧客の便宜に供するために、提供する飲食物のメニューとしてのみ掲示されているにすぎないものであり、持ち帰り用の商品には使用されていないといえる。
　そうすると、本件メニュー表は、飲食物（寿司等）の提供のためのみに使用されているといえ、当該飲食物の提供は、請求に係る指定商品中、「牛肉入りべんとう」の範ちゅうのものではない。
　したがって、本件メニュー表に表示さている本件使用商標は、請求に係る指定商品中の「牛肉入りべんとう」について使用したということはできない。
　また、お持ち帰り専用のメニュー表には、本件商標（社会通念上同一の商標を含む。）の表示はなく、その他、本件商標を使用して「牛肉入りべんとう」を販売等した証拠は提出されていない。
　その他、被請求人は、請求に係る指定商品について、本件商標の商標法第２条第３項各号にいう使用があった事実を認め得る証拠を提出していない。
　（３）小括
　以上よりすれば、被請求人が提出した証拠によっては、要証期間内に、本件商標権者が、請求に係る指定商品について、本件商標の使用をしたことを認めるに足る事実を見いだせない。
　３　むすび
　以上のとおり、被請求人は、要証期間内に日本国内において、商標権者、通常使用権者又は専用使用権者のいずれかが、請求に係る指定商品のいずれかについて、本件商標を使用していることを証明したものということができない。
　また、被請求人は、請求に係る指定商品について、本件商標を使用していないことについて正当な理由があることも明らかにしていない。
　したがって、本件商標の登録は、その指定商品中の「結論掲記の指定商品」について、商標法第５０条第１項の規定により、取り消すべきものである。
　よって、結論のとおり審決する。